(57)【要約】【課題】送信信号の帯域外の不要成分を低減することが可能な無線送信装置、方法及びプログラムを提供すること。【解決手段】本発明に係る無線送信装置１００は、送信信号の周波数を帯域制限する送信フィルタ１０４と、帯域制限された送信信号の中心周波数ｆｃｓである第１周波数ｆ１における第１電力Ｐ１と、第１周波数ｆ１よりも低く所定周波数以上離れた第２周波数ｆ２における第２電力Ｐ２と、第１周波数ｆ１よりも高く所定周波数以上離れた第３周波数ｆ３における第３電力Ｐ３を測定する測定部１０６と、第１電力Ｐ１と第２電力Ｐ２との第１差分Ｓｂ１と、第１電力Ｐ１と第３電力Ｐ３との第２差分Ｓｂ２を演算し、第１差分Ｓｂ１と第２差分Ｓｂ２のうちから差分が最小となる第４周波数ｆ４を特定し、第１電力Ｐ１と第４周波数ｆ４における第４電力Ｐ４との第３差分Ｓｂ３を演算する演算部１０７と、を備える。【選択図】図１
2018166286.tif 000002
【特許請求の範囲】
【請求項１】
送信信号の周波数を帯域制限する送信フィルタと、
前記帯域制限された送信信号の中心周波数である第１周波数における第１電力と、前記第１周波数よりも低く所定周波数以上離れた第２周波数における第２電力と、前記第１周波数よりも高く前記所定周波数以上離れた第３周波数における第３電力を測定する測定部と、
前記第１電力と前記第２電力との第１差分と、前記第１電力と前記第３電力との第２差分を演算し、前記第１差分と前記第２差分のうちから差分が最小となる第４周波数を特定し、前記第１電力と前記第４周波数における第４電力との第３差分を演算する演算部と、
前記第１差分と前記第２差分と前記第３差分に基づいて、前記送信フィルタの中心周波数を制御する制御部と、
を備える無線送信装置。
【請求項２】
前記制御部は、前記第３差分が前記第１差分以上又は前記第２差分以上となるように前記送信フィルタの中心周波数を制御する、
請求項１に記載の無線送信装置。
【請求項３】
前記制御部は、前記第４電力が前記第２電力以下又は前記第３電力以下となるように前記送信フィルタの中心周波数を制御する、
請求項１に記載の無線送信装置。
【請求項４】
前記制御部は、前記第４電力が所定値以下となるように、前記送信フィルタの中心周波数を制御する、
請求項１に記載の無線送信装置。
【請求項５】
前記帯域制限された後の前記送信信号を補償するイコライザをさらに備えた、
請求項１乃至４のいずれか１つに記載の無線送信装置。
【請求項６】
送信信号の周波数を帯域制限する送信フィルタと、
前記帯域制限された送信信号の中心周波数である第１周波数における第１電力と、前記第１周波数よりも所定周波数以上離れた第２周波数における第２電力を測定する測定部と、
前記第１電力と前記第２電力との第１差分を演算し、前記第１差分のうちから差分が最小となる第４周波数を特定し、前記第１電力と前記第４周波数における第４電力との第３差分を演算する演算部と、
前記第１差分と前記第３差分に基づいて、前記送信フィルタの中心周波数を制御する制御部と、
を備える無線送信装置。
【請求項７】
前記制御部は、前記第３差分が前記第１差分以上となるように前記送信フィルタの中心周波数を制御する、
請求項６に記載の無線送信装置。
【請求項８】
前記制御部は、前記第４電力が所定値以下となるように、前記送信フィルタの中心周波数を制御する、
請求項６に記載の無線送信装置。
【請求項９】
送信信号の周波数を帯域制限するステップと、
前記帯域制限された送信信号の中心周波数である第１周波数における第１電力と、前記第１周波数よりも低く所定周波数以上離れた第２周波数における第２電力と、前記第１周波数よりも高く前記所定周波数以上離れた第３周波数における第３電力を測定するステップと、
前記第１電力と前記第２電力との第１差分と、前記第１電力と前記第３電力との第２差分を演算し、前記第１差分と前記第２差分のうちから差分が最小となる第４周波数を特定し、前記第１電力と前記第４周波数における第４電力との第３差分を演算するステップと、
前記第１差分と前記第２差分と前記第３差分に基づいて、前記帯域制限する送信フィルタの中心周波数を制御するステップと、
を備える方法。
【請求項１０】
送信信号の周波数を帯域制限するステップと、
前記帯域制限された送信信号の中心周波数である第１周波数における第１電力と、前記第１周波数よりも低く所定周波数以上離れた第２周波数における第２電力と、前記第１周波数よりも高く前記所定周波数以上離れた第３周波数における第３電力を測定するステップと、
前記第１電力と前記第２電力との第１差分と、前記第１電力と前記第３電力との第２差分を演算し、前記第１差分と前記第２差分のうちから差分が最小となる第４周波数を特定し、前記第１電力と前記第４周波数における第４電力との第３差分を演算するステップと、
前記第１差分と前記第２差分と前記第３差分に基づいて、前記帯域制限する送信フィルタの中心周波数を制御するステップと、
をコンピュータに実行させるプログラム。
【発明の詳細な説明】
【技術分野】
【０００１】
本発明は、無線送信装置、方法及びプログラムに関するものであり、特に、送信信号の帯域外の不要成分を低減することが可能な無線送信装置、方法及びプログラムに関する。
【背景技術】
【０００２】
無線送信装置では、送信信号を所望の電力に増幅して送信する。このとき、送信信号の増幅に伴って不要成分（歪成分）が発生する。無線送信装置では、発生した不要成分を除去するため、ＤＰＤ(Digital-pre-Distortion)という手法を使用して歪補償を行い不要成分を除去する。しかしながら、ＤＰＤを使用しても不要成分を完全に除去できない場合がある。不要成分を完全に除去できない場合、４０９６ＱＡＭ(Quadrature Amplitude Modulation)のような高多値変調を用いた通信においては、隣接する周波数帯域の信号品質を低下させることがある。この理由は、信号の高多値化に伴って必要な信号対雑音比が高くなるためである。このように、ＤＰＤを使用しても、送信信号の帯域外の不要成分を低減することが難しいという問題があった。尚、不要成分を除去することを歪補償すると称することもある。
【０００３】
特許文献１には、第１周波数ｆ１の第１の信号及び第２周波数ｆ２の第２の信号を含む調整信号をフィルタリングして第２の出力信号を出力し、第２の出力信号の強度（出力電圧）に応じて、バンドパスフィルタの中心周波数を制御することが開示されている。しかしながら、特許文献１には、バンドパスフィルタによる帯域制限後の送信信号の不要成分を特定し、該不要成分を除去することは開示されていない。
【０００４】
特許文献２には、受信信号の占有周波数帯域幅における下側側波帯の大きさと上側側波帯の大きさ、及び、閾値可変係数を用いて可変させた閾値を使用して、中間周波数フィルタの帯域幅と中心周波数とを制御することが開示されている。しかしながら、特許文献２には、フィルタによる帯域制限後の送信信号の不要成分を特定し、該不要成分を除去することは開示されていない。
【先行技術文献】
【特許文献】
【０００５】
【特許文献１】特開２０１３−１０２２７５号公報
【特許文献２】特開２０１０−２４５６６５号公報
【発明の概要】
【発明が解決しようとする課題】
【０００６】
上述のように、送信信号の帯域外の不要成分を低減することが難しいという問題があった。
【０００７】
本発明は、このような問題を解決するためになされたものであり、送信信号の帯域外の不要成分を低減することが可能な無線送信装置、方法及びプログラムを提供することを目的とする。
【課題を解決するための手段】
【０００８】
本発明に係る無線送信装置は、
送信信号の周波数を帯域制限する送信フィルタと、
前記帯域制限された送信信号の中心周波数である第１周波数における第１電力と、前記第１周波数よりも低く所定周波数以上離れた第２周波数における第２電力と、前記第１周波数よりも高く前記所定周波数以上離れた第３周波数における第３電力を測定する測定部と、
前記第１電力と前記第２電力との第１差分と、前記第１電力と前記第３電力との第２差分を演算し、前記第１差分と前記第２差分のうちから差分が最小となる第４周波数を特定し、前記第１電力と前記第４周波数における第４電力との第３差分を演算する演算部と、
前記第１差分と前記第２差分と前記第３差分に基づいて、前記送信フィルタの中心周波数を制御する制御部と、
を備える。
【０００９】
本発明に係る無線送信装置は、
送信信号の周波数を帯域制限する送信フィルタと、
前記帯域制限された送信信号の中心周波数である第１周波数における第１電力と、前記第１周波数よりも所定周波数以上離れた第２周波数における第２電力を測定する測定部と、
前記第１電力と前記第２電力との第１差分を演算し、前記第１差分のうちから差分が最小となる第４周波数を特定し、前記第１電力と前記第４周波数における第４電力との第３差分を演算する演算部と、
前記第１差分と前記第３差分に基づいて、前記送信フィルタの中心周波数を制御する制御部と、
を備える。
【００１０】
本発明に係る方法は、
送信信号の周波数を帯域制限するステップと、
前記帯域制限された送信信号の中心周波数である第１周波数における第１電力と、前記第１周波数よりも低く所定周波数以上離れた第２周波数における第２電力と、前記第１周波数よりも高く前記所定周波数以上離れた第３周波数における第３電力を測定するステップと、
前記第１電力と前記第２電力との第１差分と、前記第１電力と前記第３電力との第２差分を演算し、前記第１差分と前記第２差分のうちから差分が最小となる第４周波数を特定し、前記第１電力と前記第４周波数における第４電力との第３差分を演算するステップと、
前記第１差分と前記第２差分と前記第３差分に基づいて、前記帯域制限する送信フィルタの中心周波数を制御するステップと、
を備える。
【００１１】
本発明に係るプログラムは、
送信信号の周波数を帯域制限するステップと、
前記帯域制限された送信信号の中心周波数である第１周波数における第１電力と、前記第１周波数よりも低く所定周波数以上離れた第２周波数における第２電力と、前記第１周波数よりも高く前記所定周波数以上離れた第３周波数における第３電力を測定するステップと、
前記第１電力と前記第２電力との第１差分と、前記第１電力と前記第３電力との第２差分を演算し、前記第１差分と前記第２差分のうちから差分が最小となる第４周波数を特定し、前記第１電力と前記第４周波数における第４電力との第３差分を演算するステップと、
前記第１差分と前記第２差分と前記第３差分に基づいて、前記帯域制限する送信フィルタの中心周波数を制御するステップと、
をコンピュータに実行させる。
【発明の効果】
【００１２】
本発明によれば、送信信号の帯域外の不要成分を低減することが可能な無線送信装置、方法及びプログラムを提供することができる。
【図面の簡単な説明】
【００１３】
【図１】実施の形態１に係る無線送信装置を例示するブロック図である。
【図２Ａ】送信信号のスペクトラムを例示する図である。
【図２Ｂ】送信信号のスペクトラムを例示する図である。
【図２Ｃ】送信信号のスペクトラムを例示する図である。
【図３Ａ】送信信号のスペクトラムを例示する図である。
【図３Ｂ】送信信号のスペクトラムを例示する図である。
【図４Ａ】送信フィルタの帯域特性と送信信号のスペクトラムを例示する図である。
【図４Ｂ】送信信号のスペクトラムを例示する図である。
【図５】実施の形態１に係る無線送信装置の動作を例示するフローチャートである。
【図６Ａ】送信フィルタの帯域特性と送信信号のスペクトラムを例示する図である。
【図６Ｂ】送信フィルタの帯域特性と送信信号のスペクトラムを例示する図である。
【図６Ｃ】送信フィルタの帯域特性と送信信号のスペクトラムを例示する図である。
【図７】実施の形態２に係る無線送信装置を例示するブロック図である。
【図８Ａ】送信信号のスペクトラムを例示する図である。
【図８Ｂ】送信信号のスペクトラムを例示する図である。
【図９Ａ】送信フィルタの帯域特性と送信信号のスペクトラムを例示する図である。
【図９Ｂ】送信信号のスペクトラムを例示する図である。
【図１０】実施の形態３に係る無線送信装置と無線受信装置を例示するブロック図である。
【発明を実施するための形態】
【００１４】
以下、図面を参照して本発明の実施の形態について説明する。各図面において、同一又は対応する要素には同一の符号が付されており、説明の明確化のため、必要に応じて重複説明を省略する。
【００１５】
［実施の形態１］
図１は、実施の形態１に係る無線送信装置を例示するブロック図である。
図１に示すように、実施の形態１に係る無線送信装置１００は、送信フィルタ１０４と測定部１０６と演算部１０７と制御部１０８と記憶部１０５とインドアユニット１０１とＩＦ(Intermediate Frequency)回路１０２とＲＦ(Radio Frequency)回路１０３を備える。
【００１６】
インドアユニット１０１は、送信信号に変調等を行う。ＩＦ回路１０２は、変調等が行われた送信信号を無線周波数に変換する。ＲＦ回路１０３は、ＩＦ回路１０２で無線周波数に変換された送信信号を増幅し、送信フィルタ１０４とアンテナ（図示せず）を介して送信する。
【００１７】
送信フィルタ１０４は、送信信号の周波数を帯域制限する。測定部１０６は、帯域制限された送信信号の中心周波数ｆｃｓである第１周波数ｆ１における第１電力Ｐ１を測定する。また、測定部１０６は、中心周波数ｆｃｓよりも低く所定周波数以上離れた第２周波数ｆ２における第２電力Ｐ２を測定する。また、測定部１０６は、第１周波数ｆ１よりも高く所定周波数以上離れた第３周波数ｆ３における第３電力Ｐ３を測定する。
【００１８】
演算部１０７は、第１電力Ｐ１と第２電力Ｐ２との第１差分Ｓｂ１と、第１電力Ｐ１と第３電力Ｐ３との第２差分Ｓｂ２を演算する。また、演算部１０７は、第１差分Ｓｂ１と第２差分Ｓｂ２のうちから差分が最小となる第４周波数ｆ４を特定する。また、演算部１０７は、第１電力Ｐ１と第４周波数ｆ４における第４電力Ｐ４との第３差分Ｓｂ３を演算する。
【００１９】
制御部１０８は、第１差分Ｓｂ１と第２差分Ｓｂ２と第３差分Ｓｂ３に基づいて、送信フィルタ１０４の中心周波数ｆｃｔを制御する。
【００２０】
図２Ａは、送信信号のスペクトラムを例示する図である。
図２Ｂは、送信信号のスペクトラムを例示する図である。
図２Ｃは、送信信号のスペクトラムを例示する図である。
図２Ａ、図２Ｂ及び図２Ｃの横軸は周波数ｆを示し、縦軸は電力Ｐを示す。
【００２１】
図２Ａは、歪補償前の送信信号のスペクトラムを例示する。図２Ｂは、理想的に歪補償が行われた場合の歪補償後の送信信号のスペクトラムを例示する。図２Ｃは、完全には歪補償が行われていない場合の歪補償後の送信信号のスペクトラムを例示する。
【００２２】
歪補償前においては、図２Ａに示すように不要成分Ｂの発生によりスペクトラムが広がる。歪補償後においては、図２Ｂに示すようにスペクトラムの広がりが低減される。完全には歪補償が行われていない場合の歪補償後は、図２Ｃの不要成分Ｃを有するスペクトラムとなる。尚、不要成分を歪成分と称することもある。
【００２３】
図３Ａは、送信信号のスペクトラムを例示する図である。
図３Ｂは、送信信号のスペクトラムを例示する図である。
図３Ａ及び図３Ｂの横軸は周波数ｆを示し、縦軸は電力Ｐを示す。
【００２４】
図３Ａは、理想的に歪補償が行われた場合の歪補償後の主信号と隣接信号を含む送信信号のスペクトラムを例示する図である。図３Ａは、主信号と隣接信号がそれぞれ理想的に歪補償が行われた場合を示す。図３Ａに示すｇ３１は主信号のスペクトラムを示し、図３Ａに示すｇ３２は隣接信号のスペクトラムを示す。
【００２５】
図３Ｂは、完全には歪補償が行われていない場合の歪補償後の主信号と理想的に歪補償が行われた場合の歪補償後の隣接信号のスペクトラムを例示する図である。図３Ｂは、主信号は完全には歪補償が行われず、隣接信号は理想的に歪補償が行われた場合を示す。図３Ｂに示すｇ３３は主信号のスペクトラムを示し、図３Ｂに示すｇ３４は隣接信号のスペクトラムを示す。
【００２６】
完全に歪補償が行われた場合、図３Ａに示すように、主信号の隣接信号に対する干渉の影響は小さい。一方、完全には歪補償が行われていない場合、図３Ｂに示すように、主信号が有する不要成分Ｃにより、隣接信号に対する干渉の影響は大きくなる。
【００２７】
図３Ａに示すように、主信号が理想的なスペクトラムであって不要成分Ｃが無い場合、主信号の隣接信号に対する雑音や干渉の影響が小さく、主信号が隣接信号の信号品質に与える影響は小さい。一方、図３Ｂに示すように、主信号が不要成分Ｃを有する場合、隣接信号のＤ／Ｕ(Desired/Undesired)比が小さくなるため信号品質が低下する。
【００２８】
図４Ａは、送信フィルタの帯域特性と送信信号のスペクトラムを例示する図である。
図４Ｂは、送信信号のスペクトラムを例示する図である。
図４Ａ及び図４Ｂの横軸は周波数ｆを示し、縦軸は電力Ｐを示す。
【００２９】
図４Ａに示すｇ４１は、主信号のスペクトラムを示し、図４Ａに示すｇ４２は、送信フィルタ１０４の帯域特性を示す。図４Ｂに示すｇ４３は送信フィルタ１０４の適用後の主信号のスペクトラムを示し、図４Ｂに示すｇ４４は隣接信号のスペクトラムを示す。
【００３０】
実施の形態１においては、図４Ａのｇ４２に示す送信フィルタ１０４の帯域特性の中心周波数ｆｃｔを制御し設定することで、主信号の不要成分Ｃを除去する。すなわち、送信フィルタ１０４の中心周波数ｆｃｔを制御することで不要成分Ｃを送信フィルタ１０４の帯域外（減衰領域内）に位置させて不要成分Ｃを除去する。
【００３１】
中心周波数ｆｃｔを制御することで主信号の不要成分Ｃが除去されるので、主信号は図４Ｂのｇ４３に示すスペクトラムとなる。これにより、隣接信号の信号品質の低下を抑制することができる。
【００３２】
尚、送信フィルタ１０４の中心周波数ｆｃｔの制御は、後述する周波数テーブルに基づいて行われる。
【００３３】
図５は、実施の形態１に係る無線送信装置の動作を例示するフローチャートである。
図６Ａは、送信フィルタの帯域特性と送信信号のスペクトラムを例示する図である。
図６Ｂは、送信フィルタの帯域特性と送信信号のスペクトラムを例示する図である。
図６Ｃは、送信フィルタの帯域特性と送信信号のスペクトラムを例示する図である。
図６Ａ〜図６Ｃに示すｇ６１は送信フィルタ１０４の適用後の主信号のスペクトラムを示し、ｇ６２は送信フィルタ１０４の帯域特性を示す。
【００３４】
この例では、説明を簡単にするため、送信信号の主信号の中心周波数ｆｃｓのよりも高い周波数に不要成分Ｃがあるものとする。
【００３５】
送信信号の主信号の中心周波数ｆｃｓのよりも所定周波数だけ高い周波数のことをＨｉｇｈ側周波数ｆｕと称する。主信号の中心周波数ｆｃｓのよりも所定周波数だけ低い周波数のことをＬｏｗ側周波数ｆｄと称する。また、中心周波数ｆｃｓを第１周波数ｆ１と称し、Ｌｏｗ側周波数ｆｄを第２周波数ｆ２と称し、Ｈｉｇｈ側周波数ｆｕを第３周波数ｆ３と称することもある。また、Ｌｏｗ側周波数ｆｄとＨｉｇｈ側周波数ｆｕとを分けずに、Ｌｏｗ側周波数ｆｄとＨｉｇｈ側周波数ｆｕをまとめて第２周波数ｆ２と称することもある。
【００３６】
図５に示すように、制御部１０８は、送信フィルタ１０４の中心周波数ｆｃｔを設定する（ステップＳ１０１）。例えば、送信フィルタ１０４の中心周波数ｆｃｔとして主信号の中心周波数ｆｃｓよりも高い周波数を設定する。尚、送信フィルタ１０４の中心周波数ｆｃｔは、制御部１０８が設定せずに、予め任意の周波数が設定されてもよい。
【００３７】
測定部１０６は、主信号の中心周波数ｆｃｓを、インドアユニット１０１から取得する。
【００３８】
測定部１０６は、主信号の中心周波数ｆｃｓに基づいて、主信号と隣接信号を含む周波数帯域のスペクトラムを測定する（ステップＳ１０２）。
【００３９】
ステップＳ１０１では、例えば、図６Ａのｇ６１に示すような主信号のスペクトラムが測定部１０６によって測定される。測定部１０６は、主信号の中心周波数ｆｃｓにおける第１電力Ｐ１と、Ｌｏｗ側周波数ｆｄにおける第２電力Ｐ２と、Ｈｉｇｈ側周波数ｆｕにおける第３電力Ｐ３を測定する。
【００４０】
演算部１０７は、第１電力Ｐ１と第２電力Ｐ２との第１差分Ｓｂ１と、第１電力Ｐ１と第３電力Ｐ３との第２差分Ｓｂ２を演算する。演算部１０７は、Ｌｏｗ側周波数ｆｄとＨｉｇｈ側周波数ｆｕのそれぞれの周波数においてサンプリングを行い、複数の第１差分Ｓｂ１と複数の第２差分Ｓｂ２を演算する（ステップＳ１０３）。
【００４１】
演算部１０７は、複数の第１差分Ｓｂ１と複数の第２差分Ｓｂ２のうちから、差分が最小となる歪周波数ｆｓｍを特定する（ステップＳ１０４）。演算部１０７は、第１電力Ｐ１と歪周波数ｆｓｍにおける第４電力Ｐ４との第３差分Ｓｂ３を演算する。不要成分Ｃは、歪周波数ｆｓｍで発生している。尚、歪周波数ｆｓｍを第４周波数ｆ４と称することもある。
【００４２】
制御部１０８は、送信フィルタ１０４の中心周波数ｆｃｔの設定を変更して、歪周波数ｆｓｍにおける第３差分Ｓｂ３が、Ｌｏｗ側周波数ｆｄにおける第１差分Ｓｂ１以上、又は、Ｈｉｇｈ側周波数ｆｕにおける第２差分Ｓｂ２以上になるまで変更する（ステップＳ１０５）。
【００４３】
この例では、例えば、制御部１０８は、中心周波数ｆｃｔを図６Ｂに示すような低い方へ変更する。この場合、主信号の不要成分Ｃが送信フィルタ１０４の帯域特性内にあるので、不要成分Ｃが送信フィルタ１０４により完全には除去できていない。制御部１０８は、図６Ｃに示すように、中心周波数ｆｃｔをさらに低い方へ変更する。
【００４４】
制御部１０８は、歪周波数ｆｓｍにおける第３差分Ｓｂ３が、Ｌｏｗ側周波数ｆｄにおける第１差分Ｓｂ１以上、又は、Ｈｉｇｈ側周波数ｆｕにおける第２差分Ｓｂ２以上になった場合の送信フィルタ１０４の中心周波数ｆｃｔを記憶部１０５に記憶して周波数テーブルを作成する（ステップＳ１０６）。
【００４５】
制御部１０８は、歪周波数ｆｓｍにおける第３差分Ｓｂ３が、Ｌｏｗ側周波数ｆｄにおける第１差分Ｓｂ１以上、又は、Ｈｉｇｈ側周波数ｆｕにおける第２差分Ｓｂ２以上になった場合の中心周波数ｆｃｔの前後の周波数における第１差分Ｓｂ１〜第３差分Ｓｂ３等の値を、中心周波数ｆｃｔと関連付けて記憶部１０５に記憶して周波数テーブルを作成してもよい。
【００４６】
制御部１０８は、作成した周波数テーブルに基づいて、送信フィルタ１０４の中心周波数ｆｃｔを制御する（ステップＳ１０７）。すなわち、制御部１０８は、第１差分Ｓｂ１と第２差分Ｓｂ２と第３差分Ｓｂ３に基づいて、送信フィルタ１０４の中心周波数ｆｃｔを制御する。
【００４７】
尚、ステップＳ１０５において制御部１０８は、送信フィルタ１０４の中心周波数ｆｃｔの設定を変更して、歪周波数ｆｓｍにおける第４電力Ｐ４が第２電力Ｐ２以下、又は、第３電力以下となるまで変更してもよい。
【００４８】
また、ステップＳ１０５において制御部１０８は、第４電力Ｐ４が所定値以下となるように、送信フィルタ１０４の中心周波数ｆｃｔを変更してもよい。
【００４９】
実施の形態１においては、送信フィルタ１０４の中心周波数ｆｃｔを制御して不要成分Ｃを除去する。これにより、送信信号の帯域外の不要成分を低減することが可能な無線送信装置、方法及びプログラムを提供することができる。そして、高多値変調の場合でも隣接信号への影響を低減できる。その結果、隣接信号の信号品質の低下を抑制することができる。
【００５０】
［実施の形態２］
図７は、実施の形態２に係る無線送信装置を例示するブロック図である。
図８Ａは、送信信号のスペクトラムを例示する図である。
図８Ｂは、送信信号のスペクトラムを例示する図である。
図９Ａは、送信フィルタの帯域特性と送信信号のスペクトラムを例示する図である。
図９Ｂは、送信信号のスペクトラムを例示する図である。
図８Ａ、図８Ｂ、図９Ａ及び図９Ｂの横軸は周波数ｆを示し、縦軸は電力Ｐを示す。
図９Ａに示すｇ９１は主信号のスペクトラムを示し、ｇ９２は送信フィルタ１０４の帯域特性を示す。
【００５１】
図７に示すように、実施の形態２に係る無線送信装置２００は、実施の形態１に係る無線送信装置１００と比べて、基本的な構成は同じだが、イコライザ１０９をさらに備える点が異なる。イコライザ１０９は、図８Ａに示すように主信号の一部の周波数成分Ｄが減衰された場合、図８Ｂに示すように減衰された一部の周波数成分Ｄを補償する機能を有する。すなわち、イコライザ１０９は、帯域制限された後の送信信号の主信号を補償する機能を有する。
【００５２】
図９Ａに示すように、送信フィルタ１０４の中心周波数ｆｃｔを設定した場合、図９Ｂに示すように、主信号の一部の周波数成分Ｄが減衰される。このような場合でも、実施の形態２に係る無線送信装置２００は、イコライザ１０９を使用して一部の周波数成分Ｄを補償する。
【００５３】
すなわち、実施の形態２に係る無線送信装置２００は、送信フィルタ１０４が不要成分Ｃを除去すると共に、主信号の一部の周波数成分Ｄを減衰させた場合でも、イコライザ１０９を使用して一部の周波数成分Ｄを補償することができる。
【００５４】
［実施の形態３］
図１０は、実施の形態３に係る無線送信装置と無線受信装置を例示するブロック図である。
【００５５】
図１０に示すように、実施の形態３に係る無線送信装置３００は、実施の形態２に係る無線送信装置２００と比べて、イコライザ１０９を備えていない点が異なる。無線送信装置３００は、インドアユニット１０１とＴＸアウトドアユニット３０２を備える。ＴＸアウトドアユニット３０２は、図１に示すＩＦ回路１０２とＲＦ回路１０３と送信フィルタ１０４と記憶部１０５と測定部１０６と演算部１０７と制御部１０８を備え、イコライザ１０９は備えていない。イコライザ１０９は、無線送信装置３００から送信された主信号を受信する無線受信装置３５０が備える。
【００５６】
無線受信装置３５０は、ＲＸアウトドアユニット３５２とＲＸインドアユニット３５１とイコライザ１０９を備える。ＲＸアウトドアユニット３５２はＴＸアウトドアユニット３０２に対応する機能を有し、ＲＸインドアユニット３５１はインドアユニット１０１に対応する機能を有し、主信号を受信する。
【００５７】
実施の形態３では、送信側（無線送信装置３００）で主信号の周波数特性を補償するのではなく、受信側（無線受信装置３５０）のイコライザ１０９で周波数特性を補償する。
【００５８】
また、上記の実施の形態では、本発明をハードウェアの構成として説明したが、本発明はこれに限定されるものではない。本発明は、各構成要素の処理を、ＣＰＵ（Central Processing Unit）にコンピュータプログラムを実行させることにより実現することも可能である。
【００５９】
上記の実施の形態において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実態のある記録媒体(trangible storage medium)を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programable ROM）、ＥＰＲＯＭ(Erasable PROM)）、フラッシュＲＯＭ、ＲＡＭ(Random Access Memory)を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００６０】
なお、本発明は上記実施の形態に限られたものではなく、趣旨を逸脱しない範囲で適宜変更することが可能である。
【符号の説明】
【００６１】
１００、２００、３００…無線送信装置
３５０…無線受信装置
１０１…インドアユニット
１０２…ＩＦ回路
１０３…ＲＦ回路
１０４…送信フィルタ
１０５…記憶部
１０６…測定部
１０７…演算部
１０８…制御部
１０９…イコライザ
Ｂ、Ｃ…不要成分
Ｄ…一部の周波数成分
ｆ…周波数
ｆ１…第１周波数
ｆ２…第２周波数
ｆ３…第３周波数
ｆ４…第４周波数
ｆｓｍ…歪周波数
ｆｄ…Ｌｏｗ側周波数
ｆｕ…Ｈｉｇｈ側周波数
ｆｃｓ、ｆｃｔ…中心周波数
Ｐ…電力
Ｐ１…第１電力
Ｐ２…第２電力
Ｐ３…第３電力
Ｓｂ１…第１差分
Ｓｂ２…第２差分
Ｓｂ３…第３差分
【図１】
2018166286.tif 000003
【図２Ａ】
2018166286.tif 000004
【図２Ｂ】
2018166286.tif 000005
【図２Ｃ】
2018166286.tif 000006
【図３Ａ】
2018166286.tif 000007
【図３Ｂ】
2018166286.tif 000008
【図４Ａ】
2018166286.tif 000009
【図４Ｂ】
2018166286.tif 000010
【図５】
2018166286.tif 000011
【図６Ａ】
2018166286.tif 000012
【図６Ｂ】
2018166286.tif 000013
【図６Ｃ】
2018166286.tif 000014
【図７】
2018166286.tif 000015
【図８Ａ】
2018166286.tif 000016
【図８Ｂ】
2018166286.tif 000017
【図９Ａ】
2018166286.tif 000018
【図９Ｂ】
2018166286.tif 000019
【図１０】
2018166286.tif 000020